(57)【要約】【課題】  一つの行き先に対して複数の位置情報を関連付けて記憶して、目的にあわせて自由に選択可能であり、かつ当該位置情報を送信後、所定の相手以外は再利用をさせないようにする携帯端末装置及びナビゲーション装置。【解決手段】  携帯端末装置１は、目的地名表示データに複数のサブ目的地名表示データを関連付け、さらに目的地名表示データ及びサブ目的地名表示データそれぞれについて位置データを関連付けてメモリ１８に保存する。さらに送信する目的地情報について、使用期限を設定し、その使用時間制限データを付加して送信する。ナビゲーション装置２は、受け付けた目的地名を地図情報メモリ２４から検索する際に、使用期限が切れているか否かを判別する。使用期限が超過している場合は、以降の処理を終了し、ナビゲーションを行えない。【選択図】        図３
2006352359.tif 000002
【特許請求の範囲】
【請求項１】
あらかじめ複数の位置データを記憶した記憶手段と、
当該記憶手段から適宜の位置データを選択する選択入力手段と、
前記選択入力手段によって選択された位置データを抽出して表示手段に表示する位置データ抽出手段と、
当該位置データ抽出手段により抽出された位置データを外部に送信する位置データ送信手段と、を備えた携帯端末装置であって、
前記位置データの複数は、前記記憶手段に記憶された一つの目的地名表示データと関連付けられて記憶され、且つ、当該目的地名表示データは、複数のサブ目的地名表示データと関連付けられて記憶されるとともに、当該サブ目的地名表示データは、その各々が前記位置データのいずれか一と関連付けて前記記憶手段に記憶されてなり、
前記位置データ抽出手段は、前記選択入力手段によって入力された目的地名に基づいて、当該目的地名データに関連する当該複数のサブ目的地名表示データを前記記憶手段から抽出して前記表示手段に表示させる機能と、
前記複数のサブ目的地名表示データに基づいて前記表示手段に複数のサブ目的地名を表示させた後に、前記選択入力手段による複数の前記サブ目的地名の一つの選択を受け付ける機能と、
前記選択入力手段によって表示された複数の前記サブ目的地名の中から一つのサブ目的地名が選択された場合、その選択されたサブ目的地名表示データに関連付けられた一の位置データを前記記憶手段に記憶された複数の位置データの中から抽出する機能と、を有する、前記記憶手段に記憶された位置データ抽出プログラムを実行することにより実現することを特徴とする携帯端末装置。
【請求項２】
前記記憶手段に記憶された位置データ抽出プログラムは、前記記憶手段に記憶された複数の位置データの中から抽出された一の位置データに関連した目的地名データ又はサブ目的地データの何れか、又は両方を、前記選択入力手段による選択入力に応じて抽出する機能を更に有し、
前記位置データ送信手段は、前記位置データ抽出手段によって抽出された位置データと、当該位置データに関連した目的地名データ又はサブ目的地データの何れか又は両方を、外部のカーナビゲーション装置に送信することを特徴とする請求項1に記載の携帯端末装置。
【請求項３】
前記位置データ送信手段は、外部に送信する前記位置データに予め前記記憶手段に記憶された使用時間制限データを付加して送信することを特徴とする請求項１又は２に記載の携帯端末装置。
【請求項４】
外部に送信する前記位置データに、前記使用時間制限データの設定の受付を行う使用時間制限設定手段をさらに備え、
前記位置データ送信手段は、外部に送信を行う位置データに前記設定をした前記使用時間制限データを付加して送信を行う請求項３に記載の携帯端末装置と、
前記携帯端末装置が送信した位置データ及び使用時間期限データの受信をする受信手段と、
前記受信をした使用時間制限データに基づいて、前記受信をした位置データの使用の制限を行う位置データ使用制限手段と、を備えるナビゲーション装置と、を含むことを特徴とするナビゲーションシステム。
【発明の詳細な説明】
【技術分野】
【０００１】
本発明は、携帯端末装置に関するものであり、特に、目的地情報を他人に送信する携帯端末装置に関する。
【背景技術】
【０００２】
従来、タクシーを利用する場合、乗客が目的地を運転手に直接告げなければならない。そのため、言語障害者や道に詳しくない老人等がタクシーを利用する際には、目的地を告げるのに地図を用意したりせねばならず、また乗客が泥酔している場合には、運転手が目的地を聞き出すのに非常に苦労をしていた。
【０００３】
車を誘導するシステムとしては、位置データを発信する人工衛星を利用したカーナビゲーションシステムが普及している。これらの中のいくつかの製品では、音声で進行方向を告げるなど不慣れな運転手でも迷わずに運転可能となっている。しかし、目的地がわからなければカーナビゲーションシステムも役に立たない。そこで、ＩＣカードを使った目的地を伝達する方法が開示されている。
【特許文献１】特開平９−１２８５７１号公報
【発明の開示】
【発明が解決しようとする課題】
【０００４】
しかし、特許文献１では、携帯端末において目的地を記憶するときに、一つの目的地名表示データには一つの位置データしか記憶することができない。例えば、駅を指定するときにいつもとは異なる出口に行きたいときや、また、女性が帰宅するときなどに、自宅を直接指定するのではなく、少し離れた場所を指定したいときなど、目的地は同じであっても、降車位置を目的に応じて使い分けたりしたいというような場合には対応することができない。
【０００５】
さらに、一度ナビゲーション装置に目的地を送信すると、その目的地情報はナビゲーション装置に記憶されたままとなる。すると、その目的地情報を再利用されてしまう場合があり、特に自宅の目的地情報が利用された場合、防犯上の問題が生じることが考えられる。
【０００６】
そこで、一つの目的地に対して複数の位置データを関連付けて記憶し、目的にあわせて自由に選択自在とすることができ、かつ当該位置データを送信後、所定の相手以外に再利用をさせないようにする手段が求められる。
【課題を解決するための手段】
【０００７】
以上のような目的を達成するために、本発明は、以下のようなものを提供する。
【０００８】
（１）あらかじめ複数の位置データを記憶した記憶手段と、当該記憶手段から適宜の位置情報を選択する選択入力手段と、前記選択入力手段によって選択された位置データを抽出して表示手段に表示する位置データ抽出手段と、当該位置データ抽出手段により抽出された位置データを外部に送信する位置情報送信手段と、を備えた携帯端末装置であって、前記位置データの複数は、前記記憶手段に記憶された一つの目的地名表示データと関連付けられて記憶され、且つ、当該目的地名表示データは、複数のサブ目的地名表示データと関連付けられて記憶されるとともに、当該サブ目的地名表示データは、その各々が前記位置データのいずれか一と関連付けて前記記憶手段に記憶されてなり、前記位置データ抽出手段は、前記選択入力手段によって入力された目的地名に基づいて、当該目的地名データに関連する当該複数のサブ目的地名表示データを前記記憶手段から抽出して前記表示手段に表示させる機能と、前記複数のサブ目的地名表示データに基づいて前記表示手段に複数のサブ目的地名を表示させた後に、前記選択入力手段による複数の前記サブ目的地名の一つの選択を受け付ける機能と、前記選択入力手段によって表示された複数の前記サブ目的地名の中から一つのサブ目的地名が選択された場合、その選択されたサブ目的地名表示データに関連付けられた一の位置データを前記記憶手段に記憶された複数の位置データの中から抽出する機能と、を有する、前記記憶手段に記憶された位置データ抽出プログラムを実行することにより実現することを特徴とする携帯端末装置。
【０００９】
（１）の発明によれば、目的地名表示データに関連付けて複数のサブ目的地名表示データとその位置データを記憶させておくことができる。これにより、携帯端末装置から外部に位置情報を送信するときに、目的地は同じであっても、異なるサブ目的地名の選択を受け付けることにより、異なる位置情報を指定できるので、例えばある駅の北口と南口などのように、目的に応じて詳細な位置を指定して送信することができる。
【００１０】
（２）前記記憶手段に記憶された位置データ抽出プログラムは、前記記憶手段に記憶された複数の位置データの中から抽出された一の位置データに関連した目的地名データ又はサブ目的地データの何れか、又は両方を、前記選択入力手段による選択入力に応じて抽出する機能を更に有し、前記位置情報送信手段は、前記位置データ抽出手段によって抽出された位置データと、当該位置データに関連した目的地名データ又はサブ目的地データの何れか又は両方を、外部のカーナビゲーション装置に送信することを特徴とする（１）に記載の携帯端末装置。
【００１１】
（２）の発明によれば、位置情報を指定して送信をする際に、指定した位置情報に加えて、サブ目的地名又は目的地名を付して送信するかを選択し、必要に応じて送信することができる。これにより、送信先の相手に再利用して欲しい場合等、当初からサブ目的地名又は目的地名を一緒に送信したいときは、位置情報から検索して目的地名等を確認することができる。また、目的地名を送信先の相手に送信したい場合には、目的地名又はサブ目的地名又は両方を送信することができ、目的に合わせて使い分けることができる。
【００１２】
（３）前記位置情報送信手段は、外部に送信する前記位置データに予め前記記憶手段に記憶された使用時間制限データを付加して送信することを特徴とする（１）又は（２）に記載の携帯端末装置。
【００１３】
（３）の発明によれば、送信した位置データ等について、送信先で使用できる使用時間を設定して送信することができるので、使用時間が経過した後は、送信先で位置データ等を使用されないようにすることができる。このことにより、タクシー等で当該携帯端末装置を使用する際に、送信した位置データ等を、送信先で再利用できないようにすることができる。
【００１４】
（４）外部に送信する前記位置データに、前記使用時間期限データの設定の受付を行う使用時間制限設定手段をさらに備え、前記位置情報送信手段は、外部に送信を行う位置データに前記設定をした前記使用時間制限データを付加して送信を行う請求項３に記載の携帯端末装置と、前記携帯端末装置が送信した位置データ及び使用時間期限データの受信をする受信手段と、前記受信をした使用時間制限データに基づいて、前記受信をした位置データの使用の制限を行う位置データ使用制限手段と、を備えるナビゲーション装置と、を含むナビゲーションシステム。
【００１５】
（４）の発明によれば、携帯端末は、送信する位置データについて、使用期限を設定し、使用期限に対応した時限時間データを付加して送信することができる。また、位置データを受信したナビゲーション装置は、その位置データの使用期限が過ぎると、受信した位置データ等の使用が制限される。これにより、位置データを再利用されたくない相手が、携帯端末が送信した位置データの再利用をすることを防止することができる。
【発明の効果】
【００１６】
一の目的地名表示データに複数の位置データを関連付けて記憶することで、目的に応じて異なる目的地の位置データを送信することができ、かつ送信した位置データを再利用されないように使用期限を設定可能な携帯端末及びナビゲーションシステムを提供する。
【発明を実施するための最良の形態】
【００１７】
以下に、本発明の好適な実施形態を図面に基づいて説明する。
【００１８】
図１は、本発明の携帯端末装置の概略構成図である。携帯端末装置１は、通信衛星から位置データを受信するＧＰＳ用のアンテナ１３、位置データを入力したり、送受信の操作をする操作部１５、携帯端末装置を制御する制御部１７、目的地名表示データや位置データ等の各種データや機能設定等を記憶する記憶部１８、各種設定や地図情報を表示する表示部１９、携帯端末装置１におけるバスライン５０から構成される。
【００１９】
また、情報送受信用のアンテナ１１、情報を送受信する送受信部１２、アンテナ１３で受信した位置データに基づいて使用者の現在位置を測定したり、通信衛星から位置データを受信する位置指定部１４、ナビゲーション装置２やその他の外部記憶装置と通信する通信インターフェース１６を備えていてもよく、また、メモリーカード等と接続できる外部入力部２０を備えていてもよい。
【００２０】
図２は、本発明のナビゲーション装置２の構成図である。ナビゲーション装置２は、ナビゲーション装置２の制御を行うＣＰＵ２８、ＣＰＵ２８が処理を行う際に記憶したデータ等を読み出すためのＲＯＭ２９、携帯端末１から受信した位置データや目的地名表示データ、サブ目的地名表示データ等を記憶するＲＡＭ３０、表示処理を行うディスプレイコントローラ３１、処理結果を表示するためのディスプレイ装置３２及び携帯端末装置１からの送信を受信するための通信インターフェース３３、ナビゲーション装置２内のバスライン３４を備える。
【００２１】
更に、ナビゲーション装置２は、地図情報等を記憶するＤＶＤ-ＲＯＭやＩＣメモリ等の外部記憶部２１、外部記憶部２１から地図情報等の読み取りを制御する外部記憶制御部２２、外部記憶部２１から読み出した地図情報を記憶する地図情報メモリ２４、探索された誘導経路を記憶する誘導経路メモリ２５、ナビゲーション装置２への各種設定を入力する入力部２７、移動距離を検出する車速センサーや移動方位を検出するジャイロ、位置計算用ＣＰＵ、ＧＰＳ受信機、車両の現在位置を測定する位置測定装置２３等を備えていてもよい。
【００２２】
［目的地名表示データ及び位置データの記憶処理］
図４は、携帯端末装置１において、目的地名表示データ及び位置データ等を記憶する処理のフローチャートである。まず、携帯端末装置１の制御部１７は、目的地名表示データを決定するための目的地名表示データ及び位置データの決定処理Ｓ１００を行う。これの詳細については後述する。この処理が終了した場合には、ステップＳ１５０に処理を移す。
【００２３】
ステップＳ１５０では、制御部１７は、サブ目的地名表示データをさらに記憶するか否かの選択の受付処理を行う。具体的には、表示部１９に選択肢を表示して操作部１５からの入力の受付を行うことにより行う。サブ目的地名表示データを記憶しないという旨の選択を受け付けた場合には、制御部１７は、ステップＳ３００に処理を移す。
【００２４】
ステップＳ１５０でサブ目的地名表示データを記憶する旨の選択を受け付けた場合には、サブ目的地名表示データ及び位置データを決定するために、後述のサブ目的地名表示データ及び関連する位置データの決定処理Ｓ２００を行う。この処理が終了した場合には、ステップＳ３００に処理を移す。
【００２５】
ステップＳ３００では、制御部１７は、目的地名表示データと、当該目的地情報に関連付けられる複数のサブ目的地名表示データとその位置データの記憶の処理を行う。制御部１７は、ステップＳ１００及びステップＳ２００で行った各決定に基づいて、例えば、図３の目的地テーブル４０に示す様に関連付けて記憶部１８に記憶する。
【００２６】
この目的地テーブル４０は、目的地名表示データフィールド４２、目的地名表示データの位置データフィールド４３、サブ目的地名表示データフィールド４４、位置データフィールド４６で構成されている。目的地名表示データフィールド４２には、目的地名表示データ、目的地名表示データの位置データフィールド４３には、目的地名表示データに関連付けられた位置データを記憶する。また、サブ目的地名表示データフィールド４４には、目的地名表示データに関連する複数のサブ目的地名表示データ、位置データフィールド４６には、サブ目的地名表示データの位置データを記憶する。尚、サブ目的地名表示データは、必須ではなく、目的地名表示データ及び目的地名表示データの位置データのみを関連付けて記憶してもよい。また、各フィールド内に記憶する名称は、常に一意の名称でなければならない。記憶については、図５及び図６において後述する。図３の目的地テーブル４０では、位置データフィールド４３、４６内の位置データを住所で記憶しているが、住所に限らず、緯度及び経度等、その他の位置を特定できるものであればよい。
【００２７】
ステップＳ３００の処理の終了により、目的地名表示データ及び位置データの記憶の処理全体が終了する。
【００２８】
［目的地名表示データ入力処理］
次に、目的地名表示データ入力処理（ステップＳ１００）の処理の詳細を図５において説明する。
【００２９】
まず、ステップＳ１０５において、制御部１７は、位置データの入力受付を行う。具体的には、通信衛星から、ＧＰＳアンテナ１３で現在位置に関する情報を受信し、位置指定部１４が現在位置を測定して位置データとしてもよいし、通信インターフェース１６を介して外部記憶装置に接続して位置データを取得してもよく、外部入力部２０にメモリーカード等を接続して位置データを取得してもよい。さらに、既に位置データを記憶部１８に記憶している場合には、制御部１７は、位置データの一覧を表示部１９に表示して、操作部１５から位置データの選択の受付をしてもよい。この処理が終了した場合には、ステップＳ１１０に処理を移す。
【００３０】
ステップＳ１１０では、携帯端末装置１の操作部１５で目的地名表示データの入力を開始する際に、その目的地名表示データを新規に記憶するか否かの入力を受け付ける（ステップＳ１１０）。具体的には、制御部１７は、表示部１９に新規に記憶するか否かの選択肢を表示（図示せず）し、使用者が新規に記憶する旨を選択した場合は、ステップＳ１２０に処理を移す。
【００３１】
ステップＳ１２０では、目的地名表示データの入力の受付を行う。これは、携帯端末装置１の使用者が行った入力操作を操作部１５が受け付けることにより行う。その後、制御部１７は、入力された目的地名表示データが、記憶部１８の目的地テーブル４０に既に記憶済みの目的地名表示データであるか否かの判別を行う（ステップＳ１３０）。
【００３２】
ステップＳ１３０の判別は、制御部１７が記憶部１８の目的地テーブル４０の目的地名表示データに、入力を受け付けた目的地名表示データを検索することにより行う。そして、制御部１７が、記憶部１８に同じ目的地名表示データを発見した場合は、ステップＳ１２０に処理を戻し、再度別名での目的地名表示データの入力の受付を行う。
【００３３】
ステップＳ１３０で、制御部１７が、既存の目的地名表示データと同じ目的地名表示データが無いと判別した場合は、ステップＳ１７０に処理を移し、記憶部１８内の目的地テーブル４０の目的地名表示データフィールド４２に記憶する目的地名表示データとして確定する。
【００３４】
ステップＳ１１０において、制御部１７が、新規に記憶するのではないとの選択を受け付けた場合には、ステップＳ１４０に処理を移す。この場合は、既存の目的地名表示データに対する変更であるとして、制御部１７は、ステップＳ１０５で受け付けた位置データに関連付けられている目的地名表示データを検索する。具体的には、制御部１７は、記憶部１８の目的地テーブル４０の目的地名表示データフィールド４２を検索する。この検索で、制御部１７が目的地名表示データを発見しなかった場合は、ステップＳ１１０に処理を戻す。
【００３５】
ステップＳ１４０で目的地名表示データを発見した場合は、制御部１７は、ステップＳ１５０に処理を移す。
【００３６】
ステップＳ１５０では、目的地名表示データの入力の受付を行う。この処理が終了した場合には、ステップＳ１６０に処理を移す。
【００３７】
ステップＳ１６０では、制御部１７は、入力された目的地名表示データが、記憶部１８の目的地テーブル４０に既に記憶済みの目的地名表示データであるか否かの判別を行う。
【００３８】
ステップＳ１６０の判別は、制御部１７が記憶部１８の目的地テーブル４０の目的地名表示データに、入力を受け付けた目的地名表示データを検索することにより行う。そして、制御部１７が、記憶部１８に同じ目的地名表示データを発見した場合は、ステップＳ１５０に処理を戻し、再度別名での目的地名表示データの入力の受付を行う。
【００３９】
ステップＳ１６０で、制御部１７が、既存の目的地名表示データと同じ目的地名表示データが無いと判別した場合は、ステップＳ１７０に処理を移し、記憶部１８内の目的地テーブル４０の目的地名表示データフィールド４２に記憶する目的地名表示データとして確定する。これにより、本サブルーチンを終了し、図４のステップＳ２００に処理を移す。
【００４０】
［サブ目的地名表示データ及び位置データ決定処理］
ステップＳ２００の詳細について、図６を用いて説明する。図６は、サブ目的地名表示データ及び位置データ決定処理のフローチャートである。ステップＳ２１０では、制御部１７は、ステップＳ１００において決定した目的地名表示データを元にサブ目的地名表示データを検索する。具体的には、制御部１７が、決定した目的地名表示データに関連付けられたサブ目的地名表示データを、記憶部１８中に発見した場合には、既存のサブ目的地名表示データについての位置データの変更であるとしてステップＳ２５０に処理を移す。
【００４１】
ステップＳ２５０では、操作部１５は、位置データの変更をしたいサブ目的地名表示データの入力を受け付ける。具体的には、制御部１７が、目的地テーブル４０から、決定した目的地名表示データに関連付けられた複数のサブ目的地名表示データを読み出して、その一覧を表示部１９に表示し、操作部１５からの選択を受け付ける。この処理が終了した場合には、ステップＳ２６０に処理を移す。
【００４２】
また、ステップＳ２２０において、制御部１７が、新規に記憶するという選択を受け付けた場合には、ステップＳ２３０に処理を移す。ステップＳ２３０では、制御部１７はサブ目的地名表示データの入力の受付を行う。入力は、使用者が携帯端末装置の操作部１５を介してサブ目的地名表示データを入力するようにしてもよい。この処理が終了した場合には、ステップＳ２４０に処理を移す。
【００４３】
ステップＳ２４０では、制御部１７が、ステップＳ２３０で入力の受付をしたサブ目的地名表示データが記憶済みのサブ目的地名表示データであるか否かを判別する。これは、制御部１７が記憶部１８にある目的地テーブル４０のサブ目的地名表示データフィールド４４を検索することにより行う。そして、ステップＳ２３０で入力を受け付けたサブ目的地名表示データと同じサブ目的地名表示データが存在したと制御部１７が判別した場合は、目的地テーブルに記憶することはできないので、ステップＳ２３０に処理を戻す。ステップＳ２４０で、制御部１７が、同じサブ目的地名表示データを発見できなかった場合は、ステップＳ２３０で入力したサブ目的地名表示データを、目的地テーブル４０のサブ目的地名表示データフィールド４４に記憶する（ステップＳ２６０）。この処理が終了した場合には、ステップＳ２７０に処理を移す。
【００４４】
ステップＳ２７０では、ステップＳ２６０で記憶したサブ目的地名表示データについての位置データを決定する。これは、例えば、ＧＰＳ用のアンテナ１３を介して位置指定部１４が通信衛星等からサブ目的地名表示データについての位置データを受信して、目的地テーブル４０の位置データフィールドに記憶することによって実現してもよい。もしくは、ＧＰＳ機能を有していない場合は、制御部１７が、住所を入力する画面を表示部１９に表示して、記憶したい住所を直接入力したものを受け付けて記憶部１８に記憶してもよい（図１０）。また、通信インターフェース１６を介して外部記憶装置に接続して位置データを取得してもよく、外部入力部２０にメモリーカード等を接続して位置データを取得してもよい。さらに、既に位置データを記憶部１８に記憶している場合には、制御部１７は、位置データの一覧を表示部１９に表示して、操作部１５から位置データの選択の受付をしてもよい。
【００４５】
さらに、カメラ機能のある携帯端末装置である場合には、制御部１７は、目的地名表示データやサブ目的地名表示データ及び位置データを記憶する際に、カメラ機能から入力された、バーコードやＱＲコード等から各種情報を読み取り、目的地テーブルの各フィールドに記憶するようにしてもよい。
【００４６】
この処理が終了した場合には、サブ目的地名表示データ及び位置データの決定処理は終了し、制御部１７は、図４のステップＳ３００に処理を移す。
【００４７】
［送信処理］
図７は、記憶した目的地名表示データ及び位置データをナビゲーション装置２に送信する際の処理のフローを示したものである。以下送信処理について説明する。
【００４８】
まず、制御部１７は、目的地名表示データの選択の受付を行う（ステップＳ４００）。具体的には、例えば、制御部１７が、携帯端末装置１の表示部１９に選択画面（図１１）を表示して、使用者の操作部１５を介した選択を受け付けることにより行う。この処理が終了した場合には、ステップＳ４０１に処理を移す。
【００４９】
ステップＳ４０１では、サブ目的地名表示データがあるか否かを判別する。具体的には、目的地テーブル４０を検索して、目的地名表示データに関連付けられたサブ目的地名表示データが記憶されているか否かを判別する。サブ目的地名表示データが無い場合は、ステップＳ４０６に処理を移す。サブ目的地名表示データがある場合は、ステップＳ４０２に処理を移す。
【００５０】
ステップＳ４０２では、サブ目的地名表示データの抽出を行う。図１１では、例えば、制御部１７は、記憶済みの目的地名表示データの一覧を画面に表示し、操作部１５を介した目的地名表示データを選択（白黒反転部分、ステップＳ４００）を受け付ける。そして、制御部１７は、選択された目的地名表示データに関連付けられたサブ目的地名表示データを検索する。これは、制御部１７が、記憶部１８内の目的地テーブル４０を検索して行う。この処理が終了した場合には、ステップＳ４０４に処理を移す。
【００５１】
ステップＳ４０４では、ステップＳ４０２で抽出したサブ目的地名表示データを、表示部１９に表示し、サブ目的地名表示データの選択を受け付ける。この処理が終了した場合には、ステップＳ４０６に処理を移す。
【００５２】
ステップＳ４０６では、制御部１７は、選択された目的地名表示データ又はサブ目的地名表示データに関連付けられた位置データを表示部１９に表示する。この処理が終了した場合には、ステップＳ４１０に処理を移す。
【００５３】
次に制御部１７は、使用期限の設定をするかを判別する（ステップＳ４１０）。具体的には、例えば、表示部１９に使用期限の設定の有無を問うメッセージを表示して使用者からの選択を受け付けることにより行う。使用期限を設定しない旨の選択を受け付けた場合は、ステップＳ４１４に処理を移す。
【００５４】
また、制御部１７は、使用期限を設定する旨の選択を受け付けた場合は、ステップＳ４１２に処理を移し、使用期限の入力受付を行う。これは、例えば、使用期限の選択肢を画面に表示し（図１２）、使用者の選択を促すことにより、行う。もしくは、直接使用期限を入力するようにしてもよい。例えば、図１２では、使用期限を時間で表示し、選択するようになっているが、時間に限らず、分、年、日単位で指定してもよく、また、送信先のナビゲーション装置２における位置データの使用回数で指定してもよい。受け付けた使用期限は、その使用期限に対応する時限時間データとして、制御部１７は記憶部１８に記憶する。
【００５５】
ステップＳ４１４では、これまで選択した設定を画面に表示し、送信をする前に、使用者の確認を促す。例えば、図１３のように、制御部１７が表示部１９に、これまで選択した目的地名表示データ及びサブ目的地名表示データを表示し、使用期限を設定している場合には、設定した使用期限の時間若しくは日付、使用回数を表示する。また、１画面で表示できないような場合は、操作部１９より操作して、画面をスクロールして表示できるようにしてもよい。
【００５６】
使用者による確認は、制御部１７が、表示部１９にこのまま送信してよいか否かのメッセージと選択肢を表示して行う。制御部１７が、これで送信してよい旨の選択を受け付けた場合は、ステップＳ４２０（図８）に処理を移す。
【００５７】
ステップＳ４２０（図８）では、送信する際に、制御部１７は、選択した目的地名表示データ又はサブ目的地名表示データを位置データに付加して送信するか否かの選択の受付を行う。これは、表示部１９にメッセージと選択肢を表示することにより行う。制御部１７は、操作部１５を介して、目的地名表示データを付加して送信しない旨の読者の選択を受け付けた場合は、位置データのみ通信インターフェース１６により送信（ステップＳ４２４）して終了する。
【００５８】
ステップＳ４２０において、制御部１７が目的地名表示データを付加して送信する旨の選択を受け付けた場合には、ステップＳ４２１に処理を移す。
【００５９】
ステップＳ４２１では、ステップＳ４１６で確定した位置データに対応した目的地名表示データ又はサブ目的地名表示データを検索する。具体的には、目的地テーブル４０を検索して、選択された位置データに関連付けられた目的地名表示データフィールド４２又はサブ目的地名表示データフィールド４４に記憶した、当該目的地名表示データ又はサブ目的地名表示データを、送信する位置データに付加する。なお、付加する目的地名表示データ又はサブ目的地名表示データは、そのいずれか片方であってもよいし、両方を付加して送信してもよい。この処理が終了した場合には、ステップＳ４２２に処理を移す。
【００６０】
ステップＳ４２２では、ステップＳ４２１で付加された目的地名表示データ又はサブ目的地名表示データあるいはその両方を位置データと共に通信インターフェース１６により送信（ステップＳ４２２）して、本サブルーチンを終了する。
【００６１】
ステップＳ４１６（図７）に戻って、制御部１７がこれまでの選択結果を送信しない旨の選択を受け付けた場合には、これまでの選択結果を変更するか否かの選択を使用者に促すべく、メッセージ及び選択肢の表示を行う（ステップＳ４３０、図８）。ここで、変更しない旨の選択を受け付けた場合には、当該処理は終了する。
【００６２】
また、ステップＳ４３０において、制御部１７が選択結果の変更をする旨の使用者の選択を受け付けた場合には、どの部分を変更するかを選択する画面を表示して、使用者に変更箇所を指定させる（ステップＳ４３２）。ここでは、例えば、制御部１７はこれまでの選択結果を表示部１９に表示し、変更箇所を表示部１９上で操作部１５を介した使用者による選択を受け付ける。
【００６３】
ここで、制御部１７が目的地名表示データから変更するとの選択を受け付けた場合は、ステップＳ４００（図７）に処理を戻す。また、制御部１７がサブ目的地名表示データを変更するとの選択を受け付けた場合は、ステップＳ４０２（図７）に処理を戻し、使用期限を変更するとの選択を受け付けた場合は、ステップＳ４１０（図７）に処理を戻す。
【００６４】
［ナビゲーション装置側の時限時間チェック処理］
図９は、ナビゲーション装置２側の時限時間チェック処理のフローを示した図である。まず、ナビゲーション装置２の通信インターフェース３３が、携帯端末装置から送信された目的地の位置データ等を受信し、ＲＡＭ３０に保存する。通常、使用者が位置データ等を送信する場合は、その送信する相手が位置データの再利用を許可したくない者である場合、通常は目的地名表示データの送付は行われない。しかしながら、受信した相手が適当に目的地名表示データを付けて保存することは可能であると考えられる。
【００６５】
次に、後日、記憶した位置データを再利用する際の処理は次の様になる。まず、ステップＳ５００では、ナビゲーション装置２のＣＰＵ２８は、目的地名表示データの検索条件の受付を行う。具体的には、例えば、ＣＰＵ２８は、携帯端末１から受信し、ＲＡＭ３０に保存した位置データ等を読み出して、目的地名表示データを検索キーとして受け付ける。そして、ＣＰＵ２８は、目的地名表示データを検索する（ステップＳ５１０）。目的地名表示データが無い場合は、ＣＰＵ２８はステップＳ５００に処理を戻し、再度検索の受付を行う。この場合、ＣＰＵ２８は、外部記憶部２１からさらに地図情報を読み出して地図情報メモリ２４に記憶し、検索範囲を広げて検索してもよい。
【００６６】
ステップＳ５１０で、ＣＰＵ２８が目的地名表示データを発見した場合は、ステップＳ５２０に処理を移し、受け付けた目的地の位置データの使用期限が切れているか否かを判別する。具体的には、使用期限が時間、年又は日で設定されていた場合は、ナビゲーション装置２にある時計機能と連動して判別を行ってもよい。また、使用期限が使用回数で設定されていた場合は、ナビゲーション装置２のＣＰＵ２８は、受信した目的地の位置データ等を使用するたびに使用回数を変数にカウントして規定の回数に達しているか否かを判別するようにしてもよい。
【００６７】
ステップＳ５２０で使用期限内の使用であると判断した場合は、ＣＰＵ２８は、ＲＯＭ２９から目的地名表示データに対応する位置データを読み出して目的地として設定（ステップＳ５４０）し、この処理を終了する。
【００６８】
ステップＳ５２０で使用期限内の使用では無いとＣＰＵ２８が判別した場合には、ＣＰＵ２８は、例えば、「この目的地名表示データの位置データは使用期限が過ぎています。」のようなメッセージをディスプレイ装置３２に表示して、以降の処理を終了し、ナビゲーションを行えないようにする（ステップＳ５３０）。このようにして、後に位置データ等を使用しようとしても、この使用期限チェック処理を行うので、再利用を許可したくない相手に悪用されることを防止できる。
【００６９】
尚、本発明の実施形態に記載された効果は、本発明から生じる最も好適な効果を列挙したに過ぎず、本発明による効果は、本発明の実施例に記載されたものに限定されるものではない。
【図面の簡単な説明】
【００７０】
【図１】本発明の好適な実施形態の一例に係る携帯端末装置１の概略構成を示した図である。
【図２】本発明の好適な実施形態の一例に係るナビゲーション装置２の概略構成を示した図である。
【図３】本発明の好適な実施形態の一例に係る携帯端末装置１に記憶する位置データ等のテーブルを示した図である。
【図４】本発明の好適な実施形態の一例に係る携帯端末装置１の処理の流れを示すフローチャートである。
【図５】本発明の好適な実施形態の一例に係る携帯端末装置１の処理の流れを示すフローチャートである。
【図６】本発明の好適な実施形態の一例に係る携帯端末装置１の処理の流れを示すフローチャートである。
【図７】本発明の好適な実施形態の一例に係る携帯端末装置１の処理の流れを示すフローチャートである。
【図８】本発明の好適な実施形態の一例に係る携帯端末装置１の処理の流れを示すフローチャートである。
【図９】本発明の好適な実施形態の一例に係るナビゲーション装置２の処理の流れを示すフローチャートである。
【図１０】本発明の好適な実施形態の一例に係る携帯端末装置における画面表示例である。
【図１１】本発明の好適な実施形態の一例に係る携帯端末装置１における画面表示例である。
【図１２】本発明の好適な実施形態の一例に係る携帯端末装置１における画面表示例である。
【図１３】本発明の好適な実施形態の一例に係る携帯端末装置１における画面表示例である。
【符号の説明】
【００７１】
１    携帯端末装置
２    ナビゲーション装置
１８  記憶部
１６  通信インターフェース
４０  目的地テーブル
【図１】
2006352359.tif 000003
【図２】
2006352359.tif 000004
【図３】
2006352359.tif 000005
【図４】
2006352359.tif 000006
【図５】
2006352359.tif 000007
【図６】
2006352359.tif 000008
【図７】
2006352359.tif 000009
【図８】
2006352359.tif 000010
【図９】
2006352359.tif 000011
【図１０】
2006352359.tif 000012
【図１１】
2006352359.tif 000013
【図１２】
2006352359.tif 000014
【図１３】
2006352359.tif 000015